(57)【要約】【課題】  ＤＶＩ規格に準拠するディスプレイ装置をＡＶアンプに接続した際にも、ＤＶＤプレーヤの解像度設定画面において、ディスプレイ装置が表示可能な解像度の種類を表示することができるＡＶアンプを提供すること。【解決手段】  ＡＶアンプ２０は、ＨＤＭＩ受信部と、ＨＤＭＩ送信部と、ＤＶＤプレーヤ１０が読み出す解像度の種類を記憶するためのＰＲＯＭ２５と、解像度の種類が予め記憶されているＲＯＭ２３ａと、ディスプレイ装置３０に予め記憶されている解像度の種類をディスプレイ装置３０から読み出す読出手段と、ディスプレイ装置３０がＤＶＩ規格に準拠しているか否かを判断する判断手段と、ディスプレイ装置３０がＤＶＩ規格に準拠していると判断された場合に、ＲＯＭ２３ａに記憶されている解像度の種類の全てをＰＲＯＭに登録する解像度登録手段とを備える。【選択図】図２
2007079176.tif 000002
【特許請求の範囲】
【請求項１】
外部に接続される画像再生装置から画像データを受信する画像受信手段と、
外部に接続される画像表示装置に該画像データを送信する画像送信手段と、
該画像再生装置が読み出す解像度の種類を記憶するための第１の記憶手段と、
解像度の種類が予め記憶されている第２の記憶手段と、
該画像表示装置に予め記憶されている解像度の種類を、該画像表示装置から読み出す読出手段と、
接続されている該画像表示装置が第１の規格に準拠しているか否かを判断する判断手段と、
該画像表示装置が該第１の規格に準拠していると判断された場合に、該第２の記憶手段に記憶されている解像度の種類の全てを該第１の記憶手段に登録する解像度登録手段とを備える、画像送受信装置。
【請求項２】
前記判断手段が、前記画像表示装置が第２の規格に準拠していると判断した場合、前記解像度登録手段が、前記第２の記憶手段に記憶されている解像度の種類の中で、前記画像表示装置から読み出した解像度の種類と一致する解像度の種類を、前記第１の記憶手段に登録する、請求項１に記載の画像送受信装置。
【請求項３】
第１モードまたは第２モードに設定可能なモード設定手段と、
該モード設定手段によって設定されたモードを判断するモード判断手段とをさらに備え、
前記画像表示装置が前記第１の規格に準拠し、かつ、設定されているモードが該第１モードであると判断された場合、前記解像度登録手段が、前記第２の記憶手段に記憶されている解像度の種類の全てを前記第１の記憶手段に登録し、
該画像表示装置が該第１の規格に準拠し、かつ、設定されているモードが該第２モードであると判断された場合、該解像度登録手段が、該第２の記憶手段に記憶されている解像度の種類の中で、該画像表示装置から読み出した解像度の種類と一致する解像度の種類を、該第１の記憶手段に登録する、請求項１または２に記載の画像送受信装置。
【請求項４】
前記第１の規格がＤＶＩ規格であり、前記第２の規格がＨＤＭＩ規格である、請求項２または３に記載の画像送受信装置。
【請求項５】
外部に接続される画像再生装置から画像データを受信する画像受信ステップと、
外部に接続される画像表示装置に該画像データを送信する画像送信ステップと、
該画像再生装置が読み出す解像度の種類を記憶するための第１の記憶手段に、解像度の種類を登録する解像度登録ステップと、
該画像表示装置に予め記憶されている解像度の種類を、該画像表示装置から読み出す読出ステップと、
接続されている該画像表示装置が第１の規格に準拠しているか否かを判断する判断ステップとをコンピュータに実行させ、
該画像表示装置が該第１の規格に準拠していると判断された場合に、該解像度登録ステップにおいて、画像送受信装置の第２の記憶手段に予め記憶されている解像度の種類の全てが該第１の記憶手段に登録される、画像送受信装置の動作プログラム。
【発明の詳細な説明】
【技術分野】
【０００１】
本発明は、画像表示装置から読み取った解像度の種類と、自身に予め記憶された解像度の種類とに基づいて、画像再生装置が出力可能な解像度の種類を記憶手段に登録する画像送受信装置に関する。
【背景技術】
【０００２】
従来、図３（ａ）に示すとおり、ＨＤＭＩ（High Definition Multimedia Interface）規格に準拠した、ＤＶＤプレーヤ、ＡＶアンプおよびディスプレイ装置がＨＤＭＩケーブルを介して接続されるシステムが提案されている。ＤＶＤプレーヤで再生された画像データは、ＡＶアンプを介してディスプレイ装置に出力される。
【０００３】
ディスプレイ装置は複数の解像度で画像を表示することができ、表示可能な解像度の種類（例えば、ＸＧＡ）がＥＤＩＤ（Extended Display Identification Data）として内部に設けられた図示しないＰＲＯＭに予め記憶されている（例えば、特許文献１）。
【０００４】
ＡＶアンプも、内部に設けられたＲＯＭに、解像度の種類（これらの解像度はＨＤＭＩ規格に対応している）が予め記憶されている。ＡＶアンプは、接続されているディスプレイ装置からＥＤＩＤを読み出して、ＥＤＩＤからディスプレイ装置が表示可能な解像度の種類を読み出す。ＡＶアンプは、自身のＲＯＭに予め記憶されている複数の解像度の中で、ディスプレイ装置から読み出した解像度に一致する解像度を含むＥＤＩＤを、図示しないＰＲＯＭに登録する。
【０００５】
ＤＶＤプレーヤは、ＡＶアンプのＰＲＯＭからＥＤＩＤを読み出して、ＡＶアンプおよびディスプレイ装置が共通して記憶する解像度の種類を解析する。ＤＶＤプレーヤは、読み出した解像度の種類に基づいて、ＡＶアンプに出力する画像の解像度をユーザの操作に基づいて設定する。具体的には、解像度設定は、ＤＶＤプレーヤの解像度設定画面を表示させ、当該画面中に表示される複数の解像度の中から所望の解像度を選択することにより実行される。解像度設定画面中に表示される解像度の種類は、ＤＶＤプレーヤに予め記憶された解像度の種類の中から、ＡＶアンプのＰＲＯＭから読み出した解像度の種類と一致する解像度の種類である。従って、解像度設定画面には、ＡＶアンプおよびディスプレイ装置で共通して記憶されている解像度の種類のみを表示することができる。
【０００６】
同様に、図３（ｂ）に示すとおり、ＡＶアンプは、ＨＤＭＩ規格と互換性のあるＤＶＩ規格に準拠したディスプレイ装置とＤＶＩケーブル介して接続することができる。この場合にも、ＡＶアンプはディスプレイ装置からＥＤＩＤを読み出して、ＥＤＩＤに含まれる解像度の種類と、ＡＶアンプのＲＯＭに予め記憶されている解像度の種類とに共通する解像度の種類を含むＥＤＩＤをＰＲＯＭに登録する。ＤＶＤプレーヤは、ＡＶアンプのＰＲＯＭからＥＤＩＤを読み出して、ＥＤＩＤに含まれる解像度の種類を解像度設定画面に表示する。
【０００７】
【特許文献１】特開平１１−１５４２５号公報
【発明の開示】
【発明が解決しようとする課題】
【０００８】
ＨＤＭＩ規格では、ＨＤＭＩシンク機器であるディスプレイ装置は表示可能な解像度の種類を全て正確にその内部のＰＲＯＭ内に予め記憶しておく必要がある。従って、ＡＶアンプがディスプレイ装置から読み出したＥＤＩＤに基づいてＤＶＤプレーヤが解像度設定画面を表示する場合、ディスプレイ装置が表示可能な解像度の種類が正確に解像度設定画面に表示され、ユーザはディスプレイ装置が表示可能な複数の解像度の中から所望の解像度を選択することができる。
【０００９】
しかし、ＤＶＩ規格では、ディスプレイ装置は表示可能な解像度の種類を正確にＰＲＯＭに記憶しておく必要がない。そのため、ＤＶＩ規格に準拠したディスプレイ装置は、ＰＲＯＭの容量の都合上、表示可能な解像度の種類の一部しかＰＲＯＭに記憶していなかったり、解像度の種類を全く記憶していない場合がある。つまり、ディスプレイ装置で表示可能であるにもかかわらず、ＰＲＯＭに記憶されていない解像度が存在する。このようなディスプレイ装置をＡＶアンプに接続し、ディスプレイ装置のＥＤＩＤに基づいてＤＶＤプレーヤが解像度設定画面を表示すると、解像度設定画面にはディスプレイ装置が表示可能な解像度を正確に表示することができない。その結果、ディスプレイ装置が表示可能であるにもかかわらず、ＤＶＤプレーヤが画像データを出力する際の解像度として設定することができず、ＤＶＤプレーヤから当該解像度で画像データを出力できないという問題を有する。
【００１０】
本発明の目的は、ＤＶＩ規格に準拠するディスプレイ装置をＡＶアンプに接続した際にも、ＨＤＭＩケーブルで接続されるＤＶＤプレーヤの解像度設定画面において、ディスプレイ装置が表示可能な解像度の種類を表示することができるＡＶアンプを提供することである。
【課題を解決するための手段】
【００１１】
本発明の好ましい実施形態による画像送受信装置は、画像送受信装置外部に接続される画像再生装置から画像データを受信する画像受信手段と、外部に接続される画像表示装置に該画像データを送信する画像送信手段と、該画像再生装置が読み出す解像度の種類を記憶するための第１の記憶手段と、解像度の種類が予め記憶されている第２の記憶手段と、該画像表示装置に予め記憶されている解像度の種類を、該画像表示装置から読み出す読出手段と、接続されている該画像表示装置が第１の規格に準拠しているか否かを判断する判断手段と、該画像表示装置が該第１の規格に準拠していると判断された場合に、該第２の記憶手段に記憶されている解像度の種類の全てを該第１の記憶手段に登録する解像度登録手段とを備える。
【００１２】
好ましい実施形態においては、上記判断手段が、上記画像表示装置が第２の規格に準拠していると判断した場合、上記解像度登録手段は、上記第２の記憶手段に記憶されている解像度の種類の中で、上記画像表示装置から読み出した解像度の種類と一致する解像度の種類を、上記第１の記憶手段に登録する。
【００１３】
好ましい実施形態においては、画像送受信装置は、第１モードまたは第２モードに設定可能なモード設定手段と、該モード設定手段によって設定されたモードを判断するモード判断手段とをさらに備える。上記画像表示装置が上記第１の規格に準拠し、かつ、設定されているモードが該第１モードであると判断された場合、上記解像度登録手段は、上記第２の記憶手段に記憶されている解像度の種類の全てを上記第１の記憶手段に登録する。該画像表示装置が該第１の規格に準拠し、かつ、設定されているモードが該第２モードであると判断された場合、該解像度登録手段は、該第２の記憶手段に記憶されている解像度の種類の中で、該画像表示装置から読み出した解像度の種類と一致する解像度の種類を、該第１の記憶手段に登録する。
【００１４】
好ましい実施形態においては、上記第１の規格はＤＶＩ規格であり、上記第２の規格はＨＤＭＩ規格である。
【００１５】
本発明の好ましい実施形態による画像送受信装置の動作プログラムは、外部に接続される画像再生装置から画像データを受信する画像受信ステップと、外部に接続される画像表示装置に該画像データを送信する画像送信ステップと、該画像再生装置が読み出す解像度の種類を記憶するための第１の記憶手段に、解像度の種類を登録する解像度登録ステップと、該画像表示装置に予め記憶されている解像度の種類を、該画像表示装置から読み出す読出ステップと、接続されている該画像表示装置が第１の規格に準拠しているか否かを判断する判断ステップとをコンピュータに実行させる。該画像表示装置が該第１の規格に準拠していると判断された場合に、該解像度登録ステップにおいて、画像送受信装置の第２の記憶手段に記憶されている解像度の種類の全てが該第１の記憶手段に登録される。
【発明の効果】
【００１６】
接続されている画像表示装置が第１の規格に準拠している場合には、画像表示装置には表示可能な解像度の種類が正確に記憶されていないと判断される。そのため、画像送受信装置は、画像表示装置から読み出した解像度の種類を無視して、第２の記憶手段に予め記憶されている解像度の種類の全てを第１の記憶手段に登録する。画像再生装置は、第１の記憶手段から解像度の種類を読み出して、当該解像度の種類に基づいて、解像度設定画面を表示する。従って、画像表示装置に解像度の種類が正確に記憶されていない場合であっても、画像再生装置の解像度設定画面に画像送受信装置に記憶されている解像度の種類を全て表示して、ユーザに解像度を選択させることができる。従って、画像再生装置から画像データを送信できないという問題を解決できる。
【発明を実施するための最良の形態】
【００１７】
以下、本発明の好ましい実施形態によるＤＶＤプレーヤ（画像再生装置）、ＡＶアンプ（画像送受信装置）およびディスプレイ装置（画像表示装置）について、図面を参照して具体的に説明するが、本発明はこれらの実施形態には限定されない。
【００１８】
図１Ａは、ＤＶＤプレーヤ１０およびＡＶアンプ２０の構成を、図１Ｂは、ＡＶアンプ２０（図１Ａと同一）およびディスプレイ装置３０の構成をそれぞれ示す概略ブロック図である。ＤＶＤプレーヤ１０およびＡＶアンプ２０は、ＨＤＭＩ規格に準拠しており、ＨＤＭＩケーブルを介して接続されている。ディスプレイ装置３０は、ＨＤＭＩ規格またはＤＶＩ規格に準拠しており、ＨＤＭＩ規格の場合にはＨＤＭＩケーブルを介して、ＤＶＩ規格の場合にはＤＶＩケーブルを介して、ＡＶアンプ２０に接続されている。
【００１９】
まず、ＤＶＤプレーヤ１０について説明する。ＤＶＤプレーヤ１０は、再生部１１と、解像度変換部１２と、ＨＤＭＩ送信部１３と、システム制御部１４と、操作表示部１５と、メモリ１６と、コネクタ部１７とを有している。
【００２０】
再生部１１は、ＤＶＤディスク（以下、単にディスク）に記録されている画像データをディスクから読み出して、デコードし、解像度変換部１２に供給する。また、再生部１１は、ディスクに記録されている音声データをディスクから読み出して、デコードし、ＨＤＭＩ送信部１３に供給する。再生部１１は、図示しない光ピックアップ、サーボ回路、ＭＰＥＧデコーダ等を含む。
【００２１】
解像度変換部１２は、再生部１１から供給された画像データの解像度を判別する。また、解像度変換部１２は、判別した画像データの解像度を、システム制御部１４からのコマンドにより、ユーザによって設定された解像度に変換する。解像度変換部１２によって解像度が変換された画像データは、ＨＤＭＩ送信部１３に供給される。
【００２２】
ＨＤＭＩ送信部１３は、解像度変換部１２から供給された画像データ、および、再生部１１から供給された音声データを、システム制御部１４からのコマンドにより、ＨＤＭＩ規格のデータ（以下、ＨＤＭＩデータ）に変換する。ＨＤＭＩ送信部１３は、変換したＨＤＭＩデータを、コネクタ部１７を介して、ＡＶアンプ２０に送信する。
【００２３】
ＨＤＭＩ送信部１３は、ＨＤＭＩデータを送受信するＴＭＤＳライン（通常は複数存在するが図１、図２では簡単のため１本のラインのみを記載している）、および、接続の有無を判断するためのホットプラグを介して、ＡＶレシーバ２０のＨＤＭＩ受信部２１に接続される。
【００２４】
システム制御部１４は、再生部１１、解像度変換部１２、ＨＤＭＩ送信部１３、操作表示部１５、メモリ１６等を制御するものであり、例えば、マイクロコンピュータである。システム制御部１４は、操作表示部１５からの操作入力または各部からの制御信号およびデータに基づいて各種処理を実行する。
【００２５】
システム制御部１４は、ＣＥＣラインを介してＡＶアンプ２０のシステム制御部２３に接続され、システム制御部２３とコマンドおよび／またはデータを送受信する。また、システム制御部１４は、ＤＤＣラインを介して、ＡＶアンプ２０のＰＲＯＭ２５に接続され、ＰＲＯＭ２５に記憶されたＥＤＩＤを読み出し、解像度の種類を読み出す。
【００２６】
システム制御部１４は、操作表示部１５に、各種の初期設定を行うためのセットアップメニューを表示させる。セットアップメニューは、出力する画像データの解像度をユーザの操作によって設定する解像度設定画面を含む。解像度がユーザによって設定されると、システム制御部１４は、解像度変換部１２に対して、設定された解像度に画像を変換するコマンドを送信する。
【００２７】
メモリ１６（例えば、ＲＯＭ）は、ＤＶＤプレーヤ１０がＡＶアンプ２０に出力可能な解像度の種類が予め記憶されている。
【００２８】
システム制御部１４は、ＡＶアンプ２０のＰＲＯＭ２５に記憶されている解像度の種類を、ＤＤＣラインを介して読み出し、メモリ１６に予め記憶されている解像度の種類と照合する。システム制御部１４は、メモリに１６に予め記憶されている解像度の種類の中から、ＡＶアンプ２０のＰＲＯＭ２５から読み出したＥＤＩＤに含まれている解像度の種類と一致する解像度の種類を解像度選択画面に表示する。
【００２９】
次に、ＡＶアンプ２０の構成を説明する。ＡＶアンプ２０は、ＨＤＭＩ受信部２１と、ＨＤＭＩ送信部２２と、システム制御部２３と、操作表示部２４と、メモリ（ＥＤＩＤ  ＰＲＯＭ、以下、ＰＲＯＭとする）２５と、音声処理部２６と、コネクタ部２７、２８とを有している。
【００３０】
ＨＤＭＩ受信部２１は、ＤＶＤプレーヤ１０から送信されたＨＤＭＩデータを受信して、受信したＨＤＭＩデータから元の画像データ（ＨＤＭＩ変換前の画像データ）を生成して、ＨＤＭＩ送信部２２に供給する。また、ＨＤＭＩ受信部２１は、受信したＨＤＭＩデータから元の音声データ生成して、音声処理部２６に供給する。
【００３１】
ＨＤＭＩ送信部２２は、ＨＤＭＩ受信部２１から供給された画像データ、および、必要に応じて音声処理部２６から供給された音声データを、ＨＤＭＩデータに変換して、コネクタ部２８を介して、ディスプレイ装置３０に送信する。ＨＤＭＩ送信部２２は、ＴＭＤＳラインおよびホットプラグを介して、ディスプレイ装置３０のＨＤＭＩ受信部３１に接続されている。
【００３２】
音声処理部２６は、ＨＤＭＩ受信部２１から供給された音声データに対して、信号処理、増幅処理、Ｄ／Ａ変換等の処理を実行し、外部に接続されたスピーカー６０に音声信号を供給する。また、必要に応じて、音声処理部２６は、音声データをＨＤＭＩ送信部２２に供給する。
【００３３】
システム制御部２３は、ＨＤＭＩ受信部２１、ＨＤＭＩ送信部２２、操作表示部２４、ＰＲＯＭ２５、音声処理部２６等を制御するものであり、例えば、マイクロコンピュータである。システム制御部２３は、操作表示部２４からの操作入力または各部からの制御信号およびデータに基づいて各種処理を実行する。
【００３４】
システム制御部２３は、ＣＥＣラインを介してＤＶＤプレーヤ１０のシステム制御部１４に接続され、システム制御部１４とコマンドおよびデータを送受信する。また、システム制御部２３は、ＣＥＣラインを介してディスプレイ装置３０のシステム制御部３３に接続され、システム制御部３３とコマンドおよびデータを送受信する。また、システム制御部２３は、ＤＤＣラインを介して、ディスプレイ装置３０のＰＲＯＭ３４に接続され、ＰＲＯＭ３４からディスプレイ装置３０で表示可能な解像度の種類を含むＥＤＩＤを読み出す。
【００３５】
システム制御部２３には、ＲＯＭ等のメモリ２３ａが内蔵（または接続）されており、ＲＯＭ２３ａ内にＡＶアンプ２０が出力する解像度の種類が予め記憶されている（また、この解像度の種類は、ＲＯＭ２３ａではなく、ＰＲＯＭ２５内に記憶されていてもよい）。通常、ＲＯＭ２３ａには、ＨＤＭＩ規格に対応する複数の解像度の種類が記憶されている。
【００３６】
ＰＲＯＭ２５は、ＤＤＣラインを介してＤＶＤプレーヤ１０のシステム制御部１４に接続されている。ＰＲＯＭ２５にはシステム制御部２３によって解像度の種類を含むＥＤＩＤが登録され、登録されたＥＤＩＤは、ＤＶＤプレーヤ１０のシステム制御部１４によってＤＤＣラインを介して読み出される。
【００３７】
システム制御部２３は、ＤＶＤプレーヤ１０が読み出すＥＤＩＤをＰＲＯＭ２５に登録する際のモードとして、以下に説明する通常モードと、強制ＥＤＩＤ設定モードとを有する。
【００３８】
通常モードは、ＲＯＭ２３ａに予め記憶されている解像度の種類の中で、ディスプレイ装置３０のＰＲＯＭ３４から読み出したＥＤＩＤに含まれる解像度の種類と一致する解像度の種類のみをＰＲＯＭ２５に登録するモードである。つまり、ＡＶアンプ２０およびディスプレイ装置３０が共通して記憶する解像度の種類がＰＲＯＭ２５に登録される。
【００３９】
具体的には、ＡＶアンプ２０のＲＯＭ２３ａに予め記憶されている解像度の種類がａ、ｂ、ｃ、ｄであり、ディスプレイ装置３０のＰＲＯＭ３４に記憶されているＥＤＩＤに含まれる解像度の種類がａ、ｅ、ｆである場合、通常モードではＰＲＯＭ２５に解像度ａを含むＥＤＩＤが登録される。
【００４０】
強制ＥＤＩＤ設定モードは、ディスプレイ装置３０のＰＲＯＭ３４から読み出した解像度の種類を無視して、ＲＯＭ２３ａに記憶されている解像度の種類を全てＰＲＯＭ２５に登録するモードである。つまり、ディスプレイ装置３０の解像度の種類に関係なく、ＡＶアンプ２０に記憶された解像度の種類がＰＲＯＭ２５に登録される。
【００４１】
具体的には、ＡＶアンプ２０のＲＯＭ２３ａに予め記憶されている解像度の種類がａ、ｂ、ｃ、ｄであり、ディスプレイ装置３０のＰＲＯＭ３４から読み出したＥＤＩＤに含まれる解像度の種類がａ、ｅ、ｆである場合、強制ＥＤＩＤ設定モードではＰＲＯＭ２５に解像度ａ、ｂ、ｃ、ｄを含むＥＤＩＤが登録される。
【００４２】
通常モードまたは強制ＥＤＩＤ設定モードは、ユーザによって設定可能である。例えば、システム制御部２３の図示しないＲＡＭ内にフラグが格納されており、強制ＥＤＩＤモードに設定される場合フラグがセットされ、通常モードに設定される場合フラグがリセットされる。
【００４３】
システム制御部２３は、ＡＶアンプ２０に接続されているディスプレイ装置３０がＨＤＭＩ規格に準拠している場合、通常モードでＰＲＯＭ２５に解像度の種類を登録する。一方、システム制御部２３は、ＡＶアンプ２０に接続されているディスプレイ装置３０がＤＶＩ規格に準拠している場合、強制ＥＤＩＤ設定モードが設定されていれば、強制ＥＤＩＤ設定モードでＰＲＯＭ２５に解像度の種類を登録し、通常モードが設定されていれば、通常モードでＰＲＯＭ２５に解像度の種類を登録する。
【００４４】
次にディスプレイ装置３０について説明する。ディスプレイ装置３０は、ＨＤＭＩ規格に準拠したディスプレイ装置またはＤＶＩ規格に準拠したディスプレイ装置が採用され得る。ＨＤＭＩ規格のディスプレイ装置３０を例に説明すると、ディスプレイ装置３０は、ＨＤＭＩ受信部３１と、表示部３２と、システム制御部３３と、メモリ（ＥＤＩＤ  ＰＲＯＭ、以下、ＰＲＯＭとする）３４と、操作部３５と、音声処理部３６と、スピーカー３７と、コネクタ部３８とを有する。
【００４５】
ＨＤＭＩ受信部３１は、ＡＶアンプ２０のＨＤＭＩ送信部２２から送信されたＨＤＭＩデータを受信して、受信したＨＤＭＩデータから元の画像データを生成し、表示部３２に供給する。また、ＨＤＭＩ受信部３１は、ＨＤＭＩデータから元の音声データを生成して、音声処理部３６に供給する。
【００４６】
表示部３２は、ＨＤＭＩ受信部３１から画像データが供給され、当該画像データに基づいて画像を表示するものであり、例えば、ＬＣＤまたはＣＲＴ等である。
【００４７】
音声処理部３６は、ＨＤＭＩ受信部３１から供給された音声データを、信号処理、増幅処理、Ｄ／Ａ変換等の処理を実行し、スピーカー３７に供給する。
【００４８】
システム制御部３３は、ＨＤＭＩ受信部３１、表示部３２、ＰＲＯＭ３４、音声処理部３６等を制御するものであり、例えば、マイクロコンピュータである。システム制御部３３は、操作部３５からの操作入力または各部からの制御信号およびデータに基づいて各種処理を実行する。
【００４９】
ＰＲＯＭ３４には、表示部３２で表示可能な解像度の種類を含むＥＤＩＤが予め記憶されている。このＥＤＩＤは、ＤＤＣラインを介して、ＡＶアンプ２３のシステム制御部２３によって読み出される。
【００５０】
ディスプレイ装置３０がＤＶＩ規格に準拠したものである場合には、ＨＤＭＩ受信部３１の代わりにＤＶＩ受信部が設けられている。このＤＶＩ受信部は、ＤＶＩデータ（ＤＶＩデータは音声データを含まない）を受信して、画像データを表示部３２に供給する。また、ＤＶＩ規格のディスプレイ装置は、表示部３２が表示可能な解像度の種類の全てをＰＲＯＭ３４に記憶しているとは限らず、通常、一部の解像度の種類のみが記憶されているか、解像度の種類が全く記憶されていない。また、ＤＶＩ規格に準拠したディスプレイ装置にはＤＶＩケーブルが接続され、当該ＤＶＩケーブルは、ＡＶアンプに接続されたＨＤＭＩケーブルに変換コネクタを介して接続される。
【００５１】
以上の構成を有するシステムについて、図２を参照してその動作および作用を説明する。図２は、ＡＶアンプ２０の処理を説明するフローチャートである。まず、ＡＶアンプ２０の電源がオン状態になると（Ｓ１）、システム制御部２３は、コネクタ部２７にＤＶＤプレーヤ１０が接続されているか否かを判断する（Ｓ２）。ＤＶＤプレーヤ１０が接続されていると判断されると（Ｓ２：ＹＥＳ）、システム制御部２３は、コネクタ部２８にディスプレイ装置３０が接続されているか否かを判断する（Ｓ３）。
【００５２】
ディスプレイ装置３０が接続されていると判断されると（Ｓ３：ＹＥＳ）、システム制御部２３は、ＤＤＣラインを介してディスプレイ装置３０のＰＲＯＭ３４からＥＤＩＤを読み出す（Ｓ４）。システム制御部２３は、読み出したＥＤＩＤの中から解像度の種類を読み出して解析する。
【００５３】
次に、システム制御部２３は、接続されているディスプレイ装置３０がＨＤＭＩ規格に準拠した装置であるか、または、ＤＶＩ規格に準拠した装置であるかを判断する（Ｓ５）。すなわち、ＰＲＯＭ３４から読み出したＥＤＩＤの中にディスプレイ装置の規格を示す情報が含まれているので、システム制御部２３はこの情報を解析することによって、ディスプレイ装置３０の規格を判断する。
【００５４】
ディスプレイ装置３０がＤＶＩ規格に準拠すると判断されると（Ｓ５：ＤＶＩ）、システム制御部２３は、強制ＥＤＩＤ設定モードが設定されているか否かをフラグを確認することによって判断する（Ｓ６）。
【００５５】
強制ＥＤＩＤ設定モードが設定されていると判断されると（Ｓ６：ＹＥＳ）、システム制御部２３は、ＲＯＭ２３ａに予め記憶されている解像度の種類を全て抽出して、当該解像度の種類を含むＥＤＩＤをＰＲＯＭ２５に登録する。つまり、Ｓ４でディスプレイ装置３０のＰＲＯＭ３４から読み出した解像度の種類は無視して、ＡＶアンプ２０に記憶されている解像度の種類がＰＲＯＭ２５に登録される。
【００５６】
その後、システム制御部２３は、コネクタ部２７（ＤＶＤプレーヤ１０）側のホットプラグをハイレベルに設定することにより、ＤＶＤプレーヤ１０にＥＤＩＤの読み出し処理を促す（Ｓ９）。つまり、ＤＶＤプレーヤ１０のシステム制御部１４は、ホットプラグがハイレベルに設定されたことを確認すると、ＤＤＣラインを介して、ＰＲＯＭ２５からＥＤＩＤを読み出し、ＰＲＯＭ２５に記憶されている解像度の種類を解析する。
【００５７】
ユーザから解像度設定画面の表示指示が入力されると、ＤＶＤプレーヤ１０のシステム制御部１４は、メモリ１６に予め記憶されている解像度の種類の中でＡＶアンプ２０のＰＲＯＭ２５に記憶されている解像度の種類と一致するものを選択して、解像度設定画面に表示する。一般的に、ＤＶＤプレーヤ１０には接続される装置が対応していると考えられる全ての解像度がメモリ１６に予め記憶されているので、解像度設定画面にはＡＶアンプ２０のＰＲＯＭ２５に記憶されている解像度の種類が全て表示される。ユーザは、解像度設定画面に表示されている解像度の中から、所望の解像度を１つ選択する。システム制御部１４は、ユーザによって選択された解像度の種類を解像度変換部１２に通知することにより、解像度変換部１２にユーザが設定した解像度に画像を変換し、出力させる。
【００５８】
このように、ＡＶアンプ２０にＤＶＩ規格のディスプレイ装置３０が接続され、かつ、強制ＥＤＩＤ設定モードが設定されているときは、ディスプレイ装置３０の解像度設定画面には、ディスプレイ装置３０に記憶されている解像度の種類に関係なく、ＡＶアンプ２０に記憶されている解像度の種類が全て表示される。そのため、ＤＶＩ規格のディスプレイ装置３０が、表示可能な解像度の種類をＰＲＯＭ３４に正確に（または全く）記憶していないときでも、ＤＶＤプレーヤ１０の解像度設定画面に、ＡＶアンプ２０に記憶されている解像度の種類を表示することができる。ＡＶアンプ２０に記憶されている解像度の大半はディスプレイ装置３０でも表示可能であるので、ディスプレイ装置３０で表示可能な解像度の種類を解像度設定画面に表示して、ＤＶＤプレーヤ１０から出力される解像度として選択することができる。
【００５９】
具体的には、（ＤＶＩ規格の）ディスプレイ装置３０が表示可能な解像度がａ、ｂ、ｃ、ｄ、ｅ、ｆであり、ディスプレイ装置３０のＰＲＯＭ３４には解像度ａ、ｅ、ｆしか記憶されておらず、ＡＶアンプ２０のＲＯＭ２３ａに予め記憶されている解像度の種類がａ、ｂ、ｃ、ｄである場合、通常モードでは、共通の解像度の種類であるａしか解像度設定画面に表示されない。しかし、実際には解像度ｂ、ｃ、ｄもＡＶアンプ２０に記憶され、ディスプレイ装置３０が表示可能な解像度であるが、これらは解像設定画面に表示されず、これらの解像度で画像データを出力できない。
【００６０】
ここで、強制ＥＤＩＤ設定モードでは、解像度設定画面にはＡＶアンプ２０のＲＯＭ２３ａに予め記憶されている解像度ａ、ｂ、ｃ、ｄが表示されるが、これらの解像度は全てディスプレイ装置３０でも表示可能な解像度である。従って、ディスプレイ装置３０がＤＶＩ規格に準拠しており、解像度の種類が正確にＰＲＯＭ３４に記憶されていない場合でも、ディスプレイ装置３０が表示可能な解像度ａ、ｂ、ｃ、ｄの中から所望の解像度を選択することができる。
【００６１】
なお、強制ＥＤＩＤ設定モードが設定されていないと判断されると（Ｓ６：ＮＯ）、システム制御部２３は、ＲＯＭ２３ａに記憶されている解像度の種類の中で、ディスプレイ装置３０のＰＲＯＭ３４から読み出した解像度の種類と一致する解像度の種類のみを選択して、ＰＲＯＭ２５に登録する（Ｓ８）。
【００６２】
また、Ｓ５において、ディスプレイ装置３０がＨＤＭＩ規格に準拠していると判断されると、システム制御部２３は、ＲＯＭ２３ａに記憶されている解像度の種類の中で、ディスプレイ装置３０のＰＲＯＭ３４から読み出した解像度の種類と一致する解像度の種類のみを選択して、ＰＲＯＭ２５に登録する（Ｓ８）。
【００６３】
このようにＨＤＭＩ規格のディスプレイ装置３０が接続された場合には、自動的に通常モードで解像度の種類を含むＥＤＩＤがＰＲＯＭ２５に登録される。これは、ディスプレイ装置３０がＨＤＭＩ規格であれば、ディスプレイ装置３０が表示可能な解像度の種類の全てが、ＰＲＯＭ３４に必ず記憶されているので、強制ＥＤＩＤモードで解像度の種類をＰＲＯＭ２５に登録する必要がないからである。また、ＨＤＭＩ規格のディスプレイ装置３０が接続された場合には、ＡＶアンプは、ディスプレイ装置３０およびＡＶアンプ２０が共通して記憶する解像度で、画像データを出力しなければならいからである。
【００６４】
具体的には、（ＨＤＭＩ規格の）ディスプレイ装置３０が表示可能な解像度の種類がａ、ｂ、ｃ、ｄ、ｅ、ｆ（この場合、ＰＲＯＭ３４には解像度の種類ａ、ｂ、ｃ、ｄ、ｅ、ｆが記憶されている）、ＡＶアンプ２０のＲＯＭ２３ａに予め記憶されている解像度の種類がａ、ｂ、ｃ、ｄである場合、これらに共通の解像度であるａ、ｂ、ｃ、ｄの中から選択された解像度で画像データが出力される。
【００６５】
なお、Ｓ３でディスプレイ装置３０が接続されていないと判断された場合（Ｓ３：ＮＯ）、システム制御部２３はＲＯＭ２３ａに記憶されているＥＤＩＤの全てをＰＲＯＭ２５に登録し（Ｓ１０）、Ｓ９に進む。
【００６６】
以上のように、本実施形態のＡＶアンプ２０は、ＤＶＩ規格のディスプレイ装置３０が接続された場合であっても、ＡＶアンプ２０に記憶された複数の解像度の中から設定された解像度でＤＶＤプレーヤ１０に画像データを出力させることができる。
【００６７】
なお、図２では、ＡＶアンプ２０の電源投入後の処理について説明しているが、ユーザが強制ＥＤＩＤ設定モードと通常モードとを切り換えた際にも、同様に、Ｓ４〜Ｓ８の処理が実行される。さらに、ＡＶアンプ２０が複数の入力端子および複数の入力端子から入力される画像データの中から１つの画像データを選択して出力するセレクタ回路を備える場合に、当該セレクタの選択を切り換えた際に、Ｓ４〜Ｓ８の処理が実行されてもよい。
【００６８】
以上、本発明の好ましい実施形態を説明したが、本発明はこれらの実施形態には限定されない。また、ＤＶＤプレーヤ、ＡＶアンプ、ディスプレイ装置の上記動作をコンピュータに実行させるためのプログラムおよびこれを記録した記録媒体という形態で提供されてもよい。
【産業上の利用可能性】
【００６９】
本発明は、画像データを出力する際の解像度を変更可能な、ＤＶＤプレーヤ、ＡＶアンプおよびディスプレイ装置等に好適に採用され得る。
【図面の簡単な説明】
【００７０】
【図１Ａ】本発明の好ましい実施形態によるＤＶＤプレーヤ１０およびＡＶアンプ２０の構成を示すブロック図である。
【図１Ｂ】本発明の好ましい実施形態によるＡＶアンプ２０およびディスプレイ装置の構成を示すブロック図である。
【図２】ＡＶアンプ２０の動作を説明するフローチャートである。
【図３】従来の構成を説明するブロック図である。
【符号の説明】
【００７１】
１０            ＤＶＤプレーヤ（画像再生装置）
２０            ＡＶアンプ（画像送受信装置）
２１            ＨＤＭＩ受信部
２２            ＨＤＭＩ送信部
２３            システム制御部
２３ａ          ＲＯＭ
２５            ＰＲＯＭ
３０            ディスプレイ装置（画像表示装置）
【図１Ａ】
2007079176.tif 000003
【図１Ｂ】
2007079176.tif 000004
【図２】
2007079176.tif 000005
【図３】
2007079176.tif 000006
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
外部に接続される画像再生装置から画像データを受信する画像受信手段と、
外部に接続される画像表示装置に該画像データを送信する画像送信手段と、
該画像再生装置が読み出す解像度の種類を記憶するための第１の記憶手段と、
解像度の種類が予め記憶されている第２の記憶手段と、
該画像表示装置に予め記憶されている解像度の種類を、該画像表示装置から読み出す読出手段と、
接続されている該画像表示装置がＤＶＩ規格に準拠しているか否かを判断する判断手段と、
該画像表示装置がＤＶＩ規格に準拠していると判断された場合に、該第２の記憶手段に記憶されている解像度の種類の全てを該第１の記憶手段に登録する解像度登録手段とを備える、画像送受信装置。
【請求項２】
前記判断手段が、前記画像表示装置がＨＤＭＩ規格に準拠していると判断した場合、前記解像度登録手段が、前記第２の記憶手段に記憶されている解像度の種類の中で、前記画像表示装置から読み出した解像度の種類と一致する解像度の種類を、前記第１の記憶手段に登録する、請求項１に記載の画像送受信装置。
【請求項３】
強制ＥＤＩＤ設定モードまたは通常モードに設定可能なモード設定手段と、
該モード設定手段によって設定されたモードを判断するモード判断手段とをさらに備え、
前記画像表示装置がＤＶＩ規格に準拠し、かつ、設定されているモードが強制ＥＤＩＤ設定モードであると判断された場合、前記解像度登録手段が、前記第２の記憶手段に記憶されている解像度の種類の全てを前記第１の記憶手段に登録し、
該画像表示装置がＤＶＩ規格に準拠し、かつ、設定されているモードが通常モードであると判断された場合、該解像度登録手段が、該第２の記憶手段に記憶されている解像度の種類の中で、該画像表示装置から読み出した解像度の種類と一致する解像度の種類を、該第１の記憶手段に登録する、請求項１または２に記載の画像送受信装置。
【請求項４】
外部に接続される画像再生装置から画像データを受信する画像受信ステップと、
外部に接続される画像表示装置に該画像データを送信する画像送信ステップと、
該画像再生装置が読み出す解像度の種類を記憶するための第１の記憶手段に、解像度の種類を登録する解像度登録ステップと、
該画像表示装置に予め記憶されている解像度の種類を、該画像表示装置から読み出す読出ステップと、
接続されている該画像表示装置がＤＶＩ規格に準拠しているか否かを判断する判断ステップとをコンピュータに実行させ、
該画像表示装置がＤＶＩ規格に準拠していると判断された場合に、該解像度登録ステップにおいて、画像送受信装置の第２の記憶手段に予め記憶されている解像度の種類の全てが該第１の記憶手段に登録される、画像送受信装置の動作プログラム。